(57)【要約】  【課題】  遊技盤基材に開口部を設けることなく、遊技盤へのガイドレールの取り付け姿勢を調節する調節機構を備えることのできる弾球遊技機を提供する。  【解決手段】  遊技盤基材１４１の表面に設けられ、内側ガイドレール１４２に対向する発射通路１４４の近傍で、外側ガイドレール１４３を遊技盤基材１４１に弾性的に支持する弾性変形可能な弾性支持部材１４５と、外側ガイドレール１４３と弾性支持部材１４５との間に介在し、塑性変形可能であって弾性支持部材１４５の弾性変形状態で外側ガイドレール１４３を定位置に保持する固定用塑性変形部材１４６と、弾性支持部材１４５に設けられ、遊技盤基材１４１の表面と弾性支持部材１４５との間に固定用塑性変形部材１４６を収納する収納用凹部１４５ｈとを備える。【選択図】  図４
2005177017.tif 000002
【特許請求の範囲】
【請求項１】
板状の遊技盤基材に内側ガイドレールおよび外側ガイドレールを装着し、両ガイドレールで取り囲まれた遊技領域と、前記遊技領域への遊技球の発射通路とを形成するとともに、前記遊技領域に複数の遊技くぎを設けた弾球遊技機において、
前記遊技盤基材の表面に設けられ、前記内側ガイドレールに対向する前記発射通路の近傍で、前記外側ガイドレールを前記遊技盤基材に弾性的に支持する弾性変形可能な弾性支持部材と、
前記外側ガイドレールと前記弾性支持部材との間に介在し、塑性変形可能であって前記弾性支持部材の弾性変形状態で前記外側ガイドレールを定位置に保持する固定用塑性変形部材と、
前記弾性支持部材に設けられ、前記遊技盤基材の表面と前記弾性支持部材との間に前記固定用塑性変形部材を収納する収納用凹部とを備えたことを特徴とする弾球遊技機。
【請求項２】
前記固定用塑性変形部材には、嵌合突起が立設され、
前記弾性支持部材には、前記収納用凹部に前記固定用塑性変形部材が収納された状態で前記嵌合突起が嵌入される嵌入孔を設けたことを特徴とする請求項１に記載の弾球遊技機。
【請求項３】
前記固定用塑性変形部材の塑性変形により前記発射通路の近傍で前記外側ガイドレールの内周面と前記遊技盤基材の前面とのなす角度を調節することを特徴とする請求項１又は２に記載の弾球遊技機。
【請求項４】
前記外側ガイドレールおよび前記弾性支持部材を樹脂材料によって一体成形したことを特徴とする請求項１〜３のいずれかに記載の弾球遊技機。
【請求項５】
前記内側ガイドレールの上端部に前記遊技領域への遊技球の発射を許容し、該遊技領域から前記発射通路への遊技球の戻りを阻止するフラップ部材を取り付けるとともに、前記内側ガイドレールの下端部に遊技球を機内に戻すアウト口を設けたことを特徴とする請求項１〜４のいずれかに記載の弾球遊技機。
【請求項６】
前記外側ガイドレールの外周側に前記弾性支持部材を複数設けるとともに、該複数の弾性支持部材の間で前記外側ガイドレールの外周側に突出する取付け用タブを設け、該取付け用タブと前記弾性支持部材との間に、金属板からなる固定用塑性変形部材を介在させたことを特徴とする請求項１〜５のいずれかに記載の弾球遊技機。
【発明の詳細な説明】
【技術分野】
【０００１】
本発明は、遊技盤へのガイドレールの取り付け姿勢を調節する調節機構を備えた弾球遊技機に関するものである。
【背景技術】
【０００２】
従来の弾球遊技機にあっては、打球発射装置から遊技領域内への遊技球の発射軌道を良好な軌道にするために、ガイドレールの遊技盤面に対する傾きを調節する調節機構を備えたものが知られている。この調節機構は、外側ガイドレールを遊技盤基材に弾性的に支持する弾性変形可能な弾性支持部材と、外側ガイドレールと弾性支持部材との間に介在して、弾性支持部材の弾性変形状態で外側ガイドレールを定位置に保持する塑性変形可能な固定用塑性変形部材とから構成されており、弾性支持部材及び固定用塑性変形部材はこれらの一部が遊技盤基材に設けた開口部に収納されるようになっていた（例えば、特許文献１参照）。
【特許文献１】特開２００１−３３４０３０号公報（第４図など）
【発明の開示】
【発明が解決しようとする課題】
【０００３】
しかしながら、従来の弾球遊技機は、遊技盤基材に開口部を設けて、この開口部に調節機構の一部が収納されるようになっているため、製造過程において遊技盤基材を加工する工程が必要であり、製造コストが上昇するという問題があった。
【０００４】
本発明は、このような従来の問題を解決するためになされたもので、遊技盤基材に開口部を設けることなく、遊技盤へのガイドレールの取り付け姿勢を調節する調節機構を備えることのできる弾球遊技機を提供することを目的とする。
【課題を解決するための手段】
【０００５】
上記課題を解決するため、本発明の弾球遊技機は、板状の遊技盤基材に内側ガイドレールおよび外側ガイドレールを装着し、両ガイドレールで取り囲まれた遊技領域と、前記遊技領域への遊技球の発射通路とを形成するとともに、前記遊技領域に複数の遊技くぎを設けた弾球遊技機において、前記遊技盤基材の表面に設けられ、前記内側ガイドレールに対向する前記発射通路の近傍で、前記外側ガイドレールを前記遊技盤基材に弾性的に支持する弾性変形可能な弾性支持部材と、前記外側ガイドレールと前記弾性支持部材との間に介在し、塑性変形可能であって前記弾性支持部材の弾性変形状態で前記外側ガイドレールを定位置に保持する固定用塑性変形部材と、前記弾性支持部材に設けられ、前記遊技盤基材の表面と前記弾性支持部材との間に前記固定用塑性変形部材を収納する収納用凹部とを備えたことを特徴とする。
【０００６】
このため、遊技盤基材に開口部を設けることなく、遊技盤へのガイドレールの取り付け姿勢を調節する調節機構を備えることができる。従って、加工工程の増加に伴なう製造コストの上昇を防止できるとともに、開口部を設けることによる遊技盤基材の強度の低下を防止することができる。
【０００７】
また、本発明の弾球遊技機は、前記固定用塑性変形部材には、嵌合突起が立設され、前記弾性支持部材には、前記収納用凹部に前記固定用塑性変形部材が収納された状態で前記嵌合突起が嵌入される嵌入孔を設けたことを特徴とする。
【０００８】
このため、弾性支持部材の収納用凹部に固定用塑性変形部材１４６を収納した後、ねじ等で双方を強固に安定的に固定することができる。
【０００９】
また、本発明の弾球遊技機は、前記固定用塑性変形部材の塑性変形により前記発射通路の近傍で前記外側ガイドレールの内周面と前記遊技盤基材の前面とのなす角度を調節することを特徴とする。
【００１０】
このため、発射通路の近傍で外側ガイドレールの内周面の傾きが調節されることで、盤面にほぼ沿った所要の発射軌道が容易に形成できることになる。
【００１１】
また、本発明の弾球遊技機は、前記外側ガイドレールおよび前記弾性支持部材を樹脂材料によって一体成形したことを特徴とする。
【００１２】
このため、より簡素でかつ部品点数が少なくなり、外側ガイドレールの取付け姿勢を安定保持することもできる。
【００１３】
また、本発明の弾球遊技機は、前記内側ガイドレールの上端部に前記遊技領域への遊技球の発射を許容し、該遊技領域から前記発射通路への遊技球の戻りを阻止するフラップ部材を取り付けるとともに、前記内側ガイドレールの下端部に遊技球を機内に戻すアウト口を設けたことを特徴とする。
【００１４】
このため、遊技盤の更なる構成の簡素化ができる。
【００１５】
また、本発明の弾球遊技機は、前記外側ガイドレールの外周側に前記弾性支持部材を複数設けるとともに、該複数の弾性支持部材の間で前記外側ガイドレールの外周側に突出する取付け用タブを設け、該取付け用タブと前記弾性支持部材との間に、金属板からなる固定用塑性変形部材を介在させたことを特徴とする。
【００１６】
このため、安定した取付け姿勢の保持ができ、非常に簡素な構成となる。
【発明の効果】
【００１７】
本発明は、弾性支持部材に設けられ、遊技盤基材の表面と弾性支持部材との間に固定用塑性変形部材を収納する収納用凹部とを備えたことにより、遊技盤基材に開口部を設けることなく、遊技盤へのガイドレールの取り付け姿勢を調節する調節機構を備えることのできる弾球遊技機を提供することができる。
【発明を実施するための最良の形態】
【００１８】
以下、本発明の好ましい実施形態を図面に基づいて説明する。
【００１９】
図１〜図７は本発明の一実施形態に係る弾球遊技機を示す図であり、本発明をパチンコ機に適用した例を示している。
【００２０】
先ず、図１および図２を参照して本実施形態のパチンコ機１００の概要を説明する。図に示すように、パチンコ機１００（弾球遊技機）は、フロントパネル枠体１１１と、この枠体１１１の正面上部に設けられた窓扉１１２と、枠体１１１の正面に係合部１１３ａ、１１３ｂ、１１３ｃ、１１３ｅにより着脱可能に装着された遊技盤１１３と、を備えている。フロントパネル枠体１１１は、詳細を図示していないが、図１中の左端側でヒンジ機構２１５Ａ、２１５Ｂを介して裏側機構枠２００に開閉可能に支持されており、通常は閉じている。また、窓扉１１２は、遊技盤１１３の遊技領域１１３ｄに対応する開口窓１１２ａを形成したもので、枠体１１１に対し前後の開閉ができるよう図示しないヒンジ機構を介して枠体１１１に開閉方向に回動可能に支持されている。この窓扉１１２には複数の発光素子群を内蔵した電飾表示部１２１が設けられている。また、窓扉１１２は図示しないロック機構によって枠体１１１に対し閉止位置でロックされ、更に枠体１１１と共に閉止状態で裏側機構枠２００にロックされるようになっている。
【００２１】
窓扉１１２の下方には、皿パネル１５０の一部を構成する上側球受皿１１５、及び、その下方側に、下側球受皿１１６が設けられ、遊技者によって回動操作される操作ハンドル１１７が、設けられている。また、上側球受皿１１５の右方側には、上側球受皿１１５の球抜き操作を行うための球抜操作レバー１１８が設けられており、球抜操作レバー１１８を図中で左側に移動させる球抜き操作によって上側球受皿１１５から下側球受皿１１６に遊技球が流下・排出できるようになっている。また、下側球受皿１１６の左方側、すなわち、パチンコ機１００の左方下部には灰皿１１９が設けられている。
【００２２】
このパチンコ機１００においては、側方に隣接配置された図示しない球貸し機のカード挿入口に度数カードである所定のプリペイドカードが挿入され（勿論、現金投入でもよい）、上側球受皿１１５の正面で後述する貸し球の貸出し操作がされたとき、貸し球が払出し口１２９から上側球受皿１１５に貸し出される一方、遊技者による操作ハンドル１１７の操作量に応じて、上側球受皿１１５の裏側で公知の発射装置（詳細は図示していない）が作動し、遊技領域内に遊技球を発射する。そして、例えば遊技盤１１３に設けられた始動入賞口１２３、一般入賞口１２４、大入賞口１２６のうちいずれかに遊技球が入ると、払出し口１２９から上側球受皿１１５への遊技球の払出しが行われる。また、始動入賞口１２３に遊技球が入賞すると、図示しない液晶表示装置で特別図柄の変動表示ゲームが実行され、その結果（停止態様）に応じて大入賞口１２６の開閉扉が前後方向に開閉するようになっている。
【００２３】
また、遊技盤１１３は、板状の遊技盤基材１４１に内側ガイドレール１４２および外側ガイドレール１４３を装着することで、両ガイドレール１４２、１４３で取り囲まれた前記遊技領域１１３ｄを形成し、更に、その遊技領域１１３ｄへの遊技球Ｂの発射通路１４４を形成している。なお、本実施形態では、遊技盤基材１４１は、その背面に配置される液晶表示装置が視認可能なようにポリカーボネート等の透明樹脂から構成されるとともに、液晶表示装置には遊技盤１１３の面積とほぼ等しい２０インチのサイズのものを使用しており、枠体１１１側に装着されている。
【００２４】
次に、図３〜図７を参照して外側ガイドレール１４３の取付け姿勢を調節する調節機構１５５について説明する。なお、図３は遊技盤１１３の左下方部における調節機構１５５の詳細を、図４は図３におけるＡ−Ａ’断面をそれぞれ示すものである。また、図５は調節機構１５５の正面斜視図を示し、図６、図７は調節機構１５５の背面斜視図を示すものである。
【００２５】
外側ガイドレール１４３は、内側ガイドレール１４２に対向する発射通路１４４の近傍で、弾性変形可能な弾性支持部材１４５を介して遊技盤基材１４１に弾性的に支持されている。そして、この外側ガイドレール１４３の取付け位置を固定するために、外側ガイドレール１４３と弾性支持部材１４５との間には、断面が略コの字形にプレス加工された板金製の固定用塑性変形部材１４６が介装されている。この固定用塑性変形部材１４６は、例えば冷間圧延鋼板からなる塑性変形可能なプレス加工部品であって、内側ガイドレール１４２に対向する外側ガイドレール１４３（発射通路形成部分）の外周部付近において、弾性支持部材１４５の一部を弾性変形させるよう遊技盤基材１４１に対し外側ガイドレール１４３を傾斜させた状態で、その外側ガイドレール１４３の一部の取付け位置（発射通路形成部分の取付け姿勢）を固定するのに十分な程度の所定の剛性を有している。
【００２６】
また、外側ガイドレール１４３および弾性支持部材１４５は所定の樹脂材料（例えばポリアミド）を射出成形することによって一体部品として形成されており、弾性支持部材１４５は、外側ガイドレール１４３の外周側に複数設けられた他の部分より肉厚が薄い複数の弾性支持部１４５ａ、１４５ｂと、遊技盤基材１４１に複数のねじ１５１で固定された固定支持部１４５ｃとで構成されている。ここで、弾性支持部材１４５の固定支持部１４５ｃは、外側ガイドレール１４３の周方向に離間する複数の弾性支持部１４５ａ、１４５ｂを介して外側ガイドレール１４３を弾性支持、すなわち所定範囲内での外側ガイドレール１４３の取付け姿勢の変化を許容するように支持している。
【００２７】
また、弾性支持部材１４５の複数の弾性支持部１４５ａ、１４５ｂの間には、外側ガイドレール１４３の外周側に突出する取付け用タブ１４３ｔが設けられており、この取付け用タブ１４３ｔにねじ１５２により固定用塑性変形部材１４６の一端部１４６ａ（コの字の上端部）が固定される。固定用塑性変形部材１４６の他端部１４６ｂ（コの字の下端部）には、ねじ穴１４７ｄ、１４７ｅ、１４７ｆをそれそれ有する金属性のカシメピン１４７ａ、１４７ｂ、１４７ｃがカシメ加工により固定されており、弾性支持部材１４５の固定部１４５ｃに設けられた嵌入孔１４５Ｘ、１４５Ｙ、１４５Ｚに、カシメピン１４７ａ、１４７ｂ、１４７ｃがそれぞれ嵌め込まれた状態で、ねじ穴１４７ｄ、１４７ｅ、１４７ｆにねじ１５３を螺合することにより（図４および図６参照）、固定用塑性変形部材１４６が弾性支持部材１４５に固定されている。また、ねじ１５２を締めたり緩めたりすることで、固定用塑性変形部材１４６の一端部１４６ａと他端部１４６ｂとの距離、言い換えると略コの字形状の固定用塑性変形部材１４６の開きが増減するようになっている。すなわち、固定用塑性変形部材１４６は外側ガイドレール１４３の取付け用タブ１４３ｔと弾性支持部材１４５との間に介在しており、この固定用塑性変形部材１４６の塑性変形により、発射通路１４４の近傍で外側ガイドレール１４３の内周面１４３ａと遊技盤基材１４１の前面とのなす角度Ｄを調節することができるようになっている。
【００２８】
また、固定用塑性変形部材１４６は、弾性支持部材１４５の遊技盤基材１４１側に設けられた収納用凹部１４５ｈに収納されるようになっており、これら外側ガイドレール１４３、弾性支持部材１４５、固定用塑性変形部材１４６から構成され、外側ガイドレール１４３の取付け姿勢を調節する調節機構１５５は遊技盤基材１４１の表面上に配置されている。
【００２９】
一方、内側ガイドレール１４２の上端部には、遊技盤１１３の遊技領域１１３ｄへの遊技球の発射を許容し、その遊技領域１１３ｄから発射通路１４４への遊技球の戻りを阻止するフラップ部材１５６が取り付けられており、内側ガイドレール１４２の下端部には、遊技球を機内に戻すアウト口１５９が設けられている。さらに、内側ガイドレール１４２の背面には、略等間隔に離間するとともにフック状の係止爪を備えた複数の取り付け用の係止爪部（図示省略）が設けられている。遊技盤基材１４１に形成された丸穴に係止爪部が挿入されるとき、各係止爪の先端部が径方向内側に弾性変形し、挿入完了時に各係止爪の先端部が径方向外側に復帰することで、内側ガイドレール１４２が遊技盤基材１４１に複数個所で係止されるようになっている。
【００３０】
上述のように構成された本実施形態の弾球遊技機においては、固定用塑性変形部材１４６は、弾性支持部材１４５の遊技盤基材１４１側に設けられた収納用凹部１４５ｈに収納されるとともに、これら外側ガイドレール１４３、弾性支持部材１４５、固定用塑性変形部材１４６から構成され外側ガイドレール１４３の取付け姿勢を調節する調節機構１５５は遊技盤基材１４１の表面上に配置されているので、遊技盤基材１４１に開口部を設けることなく、遊技盤１１３への外側ガイドレール１４３の取り付け姿勢を調節する調節機構１５５を備えることができる。
【００３１】
また、固定用塑性変形部材１４６には、カシメピン１４７ａ、１４７ｂ、１４７ｃが設けられ、弾性支持部材１４５には、カシメピン１４７ａ、１４７ｂ、１４７ｃが嵌入される嵌入孔１４５ｘ、１４５Ｙ、１４５Ｘが設られているので、弾性支持部材１４５の収納用凹部１４５ｈに固定用塑性変形部材１４６を収納した後、ねじ１５３ａ、１５３ｂ、１５３ｃで双方を強固に安定的に固定することができる。
【００３２】
また、板金製の固定用塑性変形部材１４６の塑性変形により発射通路１４４の近傍で外側ガイドレール１４３の内周面１４３ａと遊技盤基材１４１の前面とのなす角度Ｄを調節するので、発射通路１４４の近傍における外側ガイドレール１４３の内周面１４３ａの傾き調節により、遊技盤基材１４１の前面（盤面）にほぼ沿った所要の発射軌道が容易に形成できることになる。
【００３３】
また、外側ガイドレール１４３および弾性支持部材１４５を樹脂材料によって一体成形するので、より簡素でかつ部品点数が少なくなり、弾性支持部１４５ａ、１４５ｂのような複数の弾性支持部を適宜配置することで、外側ガイドレール１４３の各位置における傾き調整の影響度合を適宜設定して、外側ガイドレール１４３の取付け姿勢を良好な傾きで、安定的に保持することができる。
【００３４】
さらに、本実施形態では、内側ガイドレール１４２をも樹脂材料から形成することで、内側ガイドレール１４２の上端部に遊技領域１１３ｄへの遊技球の発射を許容し、遊技領域１１３ｄから発射通路１４４への遊技球の戻りを阻止するフラップ部材１５６を取り付けるとともに、内側ガイドレール１４２の下端部１４２ｂに遊技球を機内に戻すアウト口１５９を設けているので、これらの遊技盤基材１４１への組み付けが容易にできる。また、外側ガイドレール１４３の外周側に複数の弾性支持部１４５ａ、１４５ｂを設けるとともに、これら複数の弾性支持部１４５ａ、１４５ｂの間で外側ガイドレール１４３の外周側に突出する取付け用タブ１４３ｔを設けて、その取付け用タブ１４３ｔと弾性支持部材１４５との間に、金属板からなる固定用塑性変形部材１４６を介在させているので、外側ガイドレール１４３の安定した取付け姿勢保持ができ、しかも、遊技盤基材１４１の収納穴部１４１ｈに収納できるコンパクトな、かつ非常に簡素な調節機構１５５とすることができる。
【００３５】
なお、上述の実施形態においては、弾性支持部材１４５と外側ガイドレール１４３とを樹脂製の一体成形品とし、弾性支持部材１４５の固定支持部１４５ｃと外側ガイドレール１４３との間に固定用塑性変形部材１４６を介在させていたが、遊技盤基材１４１と外側ガイドレール１４３との間に、弾性支持部材１４５と固定用塑性変形部材１４６をそれぞれ独立に介在させ、遊技盤基材１４１を介して弾性支持部材１４５と外側ガイドレール１４３との間に固定用塑性変形部材１４６を介装するようにしてもよい。すなわち、外側ガイドレール１４３を弾性支持部材１４５によって一方向に付勢するとともに、その付勢力に抗して、固定用塑性変形部材１４６がわずかに弾性変形しながら外側ガイドレール１４３を一定の取付け位置に固定保持するようになっていれば、固定用塑性変形部材１４６の装着の態様は多様に変化させることができる。また、本発明は盤面が略鉛直に配置されるパチンコ機等に限らず、盤面が略水平に配置される弾球遊技機にも適用できる。
【００３６】
なお、本実施形態においては、固定用塑性変形部材１４６の他端部１４６ｂに金属性のカシメピン１４７ａ、１４７ｂ、１４７ｃをカシメ加工により固定するようにしているが、カシメ加工により固定する他に、ねじの螺合により固定するようにしてもよい。すなわち、カシメピン１４７ａ、１４７ｂ、１４７ｃに相当するピンの端部及び、固定用塑性変形部材１４６に設けた孔の双方にオスとメス一対のねじ溝を設けるようにしてもよい。
【００３７】
なお、固定用塑性変形部材１４６の他端部１４６ｂとカシメピン１４７ａ、１４７ｂ、１４７ｃとは一体成形により１つの部材として構成してもよい。また、固定用塑性変形部材１４６の他端部１４６ｂにカシメピン１４７ａ、１４７ｂ、１４７ｃを溶接により固着するように構成してもよい。
【００３８】
さらに、本実施形態では、固定用塑性変形部材１４６の他端部１４６ｂにカシメピン１４７ａ、１４７ｂ、１４７ｃを設けたが、カシメピン１４７ａ、１４７ｂ、１４７ｃを設けずに、固定用塑性変形部材１４６の他端部１４６ｂを弾性支持部材１４５の固定支持部１４５ｃに直接取り付けるようにしてもよい。
【００３９】
また、本実施形態においては、ねじ１５２によって固定用塑性変形部材１４６を変形させているが、ねじ１５２に代わって図８に示すような螺旋部２５２ｃ、２５２ｄとノブ２５２ａを有する調節ダイアル２５２を、回動中心２５２ｂを軸にノブ２５２ａを掴んで回動させて固定用塑性変形部材１４６を変形させるようにしてもよい。この場合、ドライバー等の工具を用いることなくノブ２５２ａを動かすことにより直接的に調節を行うことができ、非常に便宜性に優れたものとなる。
【図面の簡単な説明】
【００４０】
【図１】本発明の実施の一形態に係る弾球遊技機の外観を示す正面斜視図である。
【図２】本発明の実施の一形態に係る弾球遊技機の遊技盤を示す正面図である。
【図３】本発明の実施の一形態に係る弾球遊技機の調節機構を示す正面図である。
【図４】本発明の実施の一形態に係る弾球遊技機の調節機構を示す断面図である。
【図５】本発明の実施の一形態に係る弾球遊技機の調節機構を示す正面斜視図であり、分解状態を示す図である。
【図６】本発明の実施の一形態に係る弾球遊技機の調節機構を示す背面斜視図であり、組立状態を示す図である。
【図７】本発明の実施の一形態に係る弾球遊技機の調節機構を示す背面斜視図であり、固定用塑性変形部材を取り外した状態を示す図である。
【図８】本発明の実施の一形態に係る弾球遊技機のその他の調節機構を示す図である。
【符号の説明】
【００４１】
１００  パチンコ機
１１３  遊技盤
１１３ｄ  遊技領域
１２３  始動入賞口
１２４  一般入賞口
１２６  大入賞口
１３０  発射装置
１４１  遊技盤基材
１４２  内側ガイドレール
１４２ｂ  下端部
１４３  外側ガイドレール
１４３ａ  内周面
１４３ｔ  取付け用タブ
１４４  発射通路
１４５  弾性支持部材
１４５ａ、１４５ｂ  弾性支持部
１４５ｃ  固定支持部
１４５ｈ  収納用凹部
１４６  固定用塑性変形部材
１５５  調節機構
１５６  フラップ部材
１５９  アウト口
【図１】
2005177017.tif 000003
【図２】
2005177017.tif 000004
【図３】
2005177017.tif 000005
【図４】
2005177017.tif 000006
【図５】
2005177017.tif 000007
【図６】
2005177017.tif 000008
【図７】
2005177017.tif 000009
【図８】
2005177017.tif 000010